(57)【要約】    【課題】  運搬・据付重量を軽減して組積み作業を容易し、背面構造との一体化が可能な単位擁壁構造体と擁壁並びにその施工方法を提供する。    【解決手段】  前面ブロック11と、この前面ブロック11の背面側に設けられる裏込め材充填部21と、この裏込め材充填部21のコンクリート部22及び砕石類23に巻くジオテキスタイル31とを備える。前面ブロック11を積み上げると共に左右方向に並べ、個々の前面ブロック11の裏込め材充填部21を囲んで巻き付けるようにジオテキスタイル31を配置し、前面ブロック11と法面２との間に裏込め材を充填して単位擁壁構造体５を形成する。ジオテキスタイル21により前面ブロック11と裏込め材とが一体化され、裏込め材がジオテキスタイル31に巻かれて補強され、強度的に優れた単位擁壁構造体５を得ることができる。【選択図】      図１
2005097949.tif 000002
【特許請求の範囲】
【請求項１】
法面に沿って上下方向に積み上げられると共に左右方向に並べて擁壁を構築する擁壁用ブロックにおいて、擁壁の前面を形成するプレキャストコンクリート製の前面ブロックと、この前面ブロックに連結され網状体とを備えることを特徴とする擁壁用ブロック。
【請求項２】
法面に沿って上下方向に積み上げられると共に左右方向に並べて擁壁を構築する単位擁壁構造体において、擁壁の前面を形成するプレキャストコンクリート製の前面ブロックと、この前面ブロックの背面側に設けられる裏込め材充填部と、この裏込め材充填部の裏込め材に巻く網状体とを備えることを特徴とする単位擁壁構造体。
【請求項３】
前記裏込め材充填部を前後に仕切る仕切り用網状体を設けたことを特徴とする請求項２記載の単位擁壁構造体。
【請求項４】
前記裏込め材充填部の前部に現場打ちコンクリートからなるコンクリート部を設け、後部に砕石類を充填したことを特徴とする請求項２又は３記載の単位擁壁構造体。
【請求項５】
請求項２記載の単位擁壁構造体を法面に沿って上下方向に積み上げられると共に壁左右方向に並べてなることを特徴とする擁壁。
【請求項６】
擁壁の前面を形成するプレキャストコンクリート製の前面ブロックを、法面に沿って上下方向に積み上げられると共に左右方向に並べて擁壁を構築する際、前記前面ブロックと法面との間に裏込め材を充填し、この裏込め材にジオテキスタイルを巻き付けることを特徴とする擁壁の施工方法。
【発明の詳細な説明】
【技術分野】
【０００１】
本発明は、法面に沿ってブロックを組積みして擁壁を構築する擁壁用ブロック、単位擁壁構造体と擁壁並びにその施工方法に関するものである。
【背景技術】
【０００２】
従来、この種の擁壁に用いるブロックとして、本体の背面に控えを備え、基礎の上に組積みし、そのブロックの背面と法面との間に裏込め材として砕石等を充填して擁壁（例えば特許文献１）を構築するものが知られており、このようなブロックでは、控えの間に裏込め材が充填されてブロックと裏込め材とが一体化される。
【０００３】
また、ふとん籠代用ブロックではあるが、擁壁面を形成する前壁と、該前壁の背面側に突出する側壁と、背面側において前記前壁と対向する後壁とで筒状の周壁を構成し、この周壁内に中詰材を収納し、前記後壁を格子状又はネット部材としたもの（例えば特許文献２）がある。
【０００４】
このふとん籠代用ブロックでは、前壁の背面に周壁を設けることにより、前壁に対応して中詰材を設け、さらに、後壁をネット部材とすることにより、ブロックの軽量化を可能としている。
【０００５】
しかし、そのふとん籠代用ブロックのように、後壁をネット部材にしただけでは、軽量化は不十分であり、ブロックが大型になると、運搬据付などの組積み作業が煩雑となる。また、周壁内に中詰材を収納した構造であるから、上記控えを有するブロックのようには中詰材との一体化ができず、中詰材との一体化が不十分になる。
【特許文献１】特開平７−９０８６４号公報（図９、図１０）
【特許文献２】特開平１１−２１９２１号公報
【発明の開示】
【発明が解決しようとする課題】
【０００６】
そこで、本発明は、運搬・据付重量を軽減して組積み作業を容易し、背面構造との一体化が可能な擁壁用ブロック、単位擁壁構造体と擁壁並びにその施工方法を提供することを目的とする。
【課題を解決するための手段】
【０００７】
請求項１の発明は、法面に沿って上下方向に積み上げられると共に左右方向に並べて擁壁を構築する擁壁用ブロックにおいて、擁壁の前面を形成するプレキャストコンクリート製の前面ブロックと、この前面ブロックに連結され網状体とを備えるものである。
【０００８】
請求項２の発明は、法面に沿って上下方向に積み上げられると共に左右方向に並べて擁壁を構築する単位擁壁構造体において、擁壁の前面を形成するプレキャストコンクリート製の前面ブロックと、この前面ブロックの背面側に設けられる裏込め材充填部と、この裏込め材充填部の裏込め材に巻く網状体とを備えるものである。
【０００９】
また、請求項３の発明は、前記裏込め材充填部を前後に仕切る仕切り用網状体を設けたものである。
【００１０】
また、請求項４の発明は、前記裏込め材充填部の前部に現場打ちコンクリートからなるコンクリート部を設け、後部に砕石類を充填したものである。
【００１１】
また、請求項５の発明は、請求項１記載の単位擁壁構造体を法面に沿って上下方向に積み上げられると共に壁左右方向に並べてなるものである。
【００１２】
また、請求項６の発明は、擁壁の前面を形成するプレキャストコンクリート製の前面ブロックを、法面に沿って上下方向に積み上げられると共に左右方向に並べて擁壁を構築する際、前記前面ブロックと法面との間に裏込め材を充填し、この裏込め材にジオテキスタイルを巻き付ける方法である。
【発明の効果】
【００１３】
請求項１の単位擁壁構造体によれば、前面ブロックを積み上げると共に左右方向に並べ、個々の前面ブロックの裏込め材充填部に巻き付けるように網状体を配置し、前面ブロックと法面との間に裏込め材を充填し、擁壁を構築することができ、前面ブロックに網状体が連結されているため、該網状体により前面ブロックと裏込め材との一体化が図られる。
【００１４】
請求項２の単位擁壁構造体によれば、前面ブロックを積み上げると共に左右方向に並べ、個々の前面ブロックの裏込め材充填部に巻き付けるように網状体を配置し、前面ブロックと法面との間に裏込め材を充填し、前面ブロックと裏込め材とを一体化した単位擁壁構造体を形成することができる。
【００１５】
したがって、全体をブロックにしたり、背面に控えを設ける場合に比べて、前面ブロックは軽量で運搬・据付が容易で、網状体により前面ブロックと裏込め材とが一体化され、裏込め材が網状体に巻かれて補強されているから、強度的に優れた単位擁壁構造体が得られる。また、前面ブロックに網状体を連結すれば、該網状体により前面ブロックと裏込め材とが一層効果的に一体化することができる。
【００１６】
また、請求項３の単位擁壁構造体によれば、前面ブロックと法面との間の前後で異なる裏込め材を充填して裏込めすることができる。
【００１７】
また、請求項４の単位擁壁構造体によれば、前側は前面ブロックと現場打ちコンクリートからなるブロック体となり、このブロック体と法面との間が砕石類により埋め戻された擁壁構造が得られる。
【００１８】
また、請求項５の擁壁によりば、請求項２記載の単位擁壁構造体により前面が覆われた擁壁構造が得られる。
【００１９】
また、請求項６の擁壁の施工方法では、請求項２記載の単位擁壁構造体により前面が覆われた擁壁構造を構築することができる。
【発明を実施するための最良の形態】
【００２０】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる新規な構成を採用することにより、従来にない機能を付加した擁壁用ブロック、単位擁壁構造体と擁壁並びにその施工方法が得られ、そのブロックと施工方法を夫々記述する。
【実施例１】
【００２１】
以下、本発明の実施例を添付図面を参照して説明する。図１〜図５は本発明の第１実施例を示す。図４〜図５に示すように、擁壁１は、法面２の下部に基礎部たる基礎コンクリート３を設け、この基礎コンクリート３の上面４は法面２と直交する傾斜面に形成され、その基礎ブロック３の上に、単位擁壁構造体５が擁壁１の幅方向である左右方向に並んで且つ上下に積み上げられて組積みされ、下段の単位擁壁構造体５，５の左右方向合わせ目６の上に上段の単位擁壁構造体５が積み上げられ、擁壁１の最上部には天端部７が設けられ、この天端部７は現場打ちコンクリートやプレキャストコンクリートブロック等により形成される。
【００２２】
前記単位構造体５は、擁壁１の前面を形成する前面ブロック11と、この前面ブロック11の背面に設けられる裏込め材充填部21と、この裏込め材充填部21に巻く網状体たるジオテキスタイル（合成高分子材料を用いた織布、不織布、ネット等）とを備える。また、網状体には金網や各種材質からなるネットを用いることができ、好ましくは屈曲性を有するものを用いることが好ましい。
【００２３】
前記前面ブロック11は、プレキャストコンクリート製で、図１〜図３に示すように、左右方向が高さ方向より大きく形成された長方形形状をなし、左右方向より前後方向の厚さが薄く形成されて略直方体形状をなし、その上，下面12，12と後面14との間には、前から後面14に向って上下方向に薄くなるテーパ面12Ａ，12Ａが形成され、左，右側面13，13と後面14との間には、前から後面14に向って上下方向に薄くなるテーパ面13Ａ，13Ａが形成されている。
【００２４】
前記ジオテキスタイルは、合成樹脂製グリッド（編物や一軸延伸）や合成樹脂製シートなどからなり、可撓性を有し、折曲げ可能であり、一定幅を有する帯状のものを巻きつける。例えば、図２及び図３に示すように、横巻きのジオテキスタイル31により前記充填部21を囲むようにして設けられ、横巻きのジオテキスタイル31は、前端が左，右側面13，13に沿う側面部31Ａ，31Ａと法面２側に沿う後面部31Ｂとを有する。前記横巻きのジオテキスタイル31は前面ブロック11の高さ寸法より幅寸法Ｈ１が大きなものが好ましい。
【００２５】
また、前記充填部21を前後に仕切る仕切り用ジオテキスタイル32を用い、この仕切り用ジオテキスタイル32により、空間である前記充填部21が、前側充填部21Ａと後側充填部21Ｂとに仕切られている。そして、その前側充填部21Ａには、裏込め材として現場打ちコンクリートによりコンクリート部22が設けられ、その後側充填部21Ｂには、土砂や砕石等の砕石類23からなる裏込め材が充填される。
【００２６】
前記仕切り用ジオテキスタイル32の上，下縁部32Ａ，32Ｂは、一方が前側充填部21Ａの上面側に沿って折り曲げられ、他方が後側充填部21Ｂの下面側に沿って折り曲げられ、この例では、図１及び図２に示すように、上縁部32Ａがコンクリート部22の上面に沿い、下縁部32Ｂが後側充填部21Ｂの下面に沿う。
【００２７】
尚、前記仕切り用ジオテキスタイル32は、前面ブロック11の幅寸法Ｈ２が大きなものが好ましいが、前記横巻きのジオテキスタイル31と同一幅のものを２枚幅方向に並べると共に相互の縁を合わせて使用してもよい。
【００２８】
次に、前記構成につき、施工方法を合わせて説明すると、まず、基礎コンクリート３に前面ブロック11を左右方向に並べる。この際、前面ブロック11を吊り降ろすと同時に、横巻きのジオテキスタイル32の前側を、前面ブロック11の左右側面13，13に沿わせ、その横巻きのジオテキスタイル32と前面ブロック11の背面との間に充填部21を形成する。尚、予め、前面ブロック11に横巻きのジオテキスタイル32の前側を、前面ブロック11の左右側面13，13に連結しておくようにしてもよい。そして、この例では、前面ブロック１の１個毎に、ジオテキスタイル31をその充填部21の左右及び後面に巻き付ける構造である。
【００２９】
そして、充填部21内に仕切り用ジオテキスタイル32を配置し、この仕切り用ジオテキスタイル32と横巻きのジオテキスタイル31とブロック11の背面とを型枠代わりとして、前側充填部21Ａに現場打ちコンクリートを充填してコンクリート部22を形成すると共に、仕切り用ジオテキスタイル32の後側の後側充填部31Ｂに砕石類23を充填して法面２との間を締め固め、単位擁壁構造体５が形成される。このようにして、基礎ブロック２の上に単位構造擁壁体５を左右方向に並べ、この左右方向に並べた単位擁壁構造体５の上に、同様に前面ブロック11を左右方向に並べると共に、コンクリート部22と砕石類23の充填を行って単位擁壁構造体５を形成し、擁壁１全体を構築する。尚、上段の単位擁壁構造体５において、砕石類23の充填及び締め固めを行う場合、上段の締め固めにより下段の砕石類23をさらに締め固めることができる。
【００３０】
このように本実施例では、請求項１に対応して、法面２に沿って上下方向に積み上げられると共に左右方向に並べて擁壁１を構築する擁壁用ブロックにおいて、擁壁１の前面を形成するプレキャストコンクリート製の前面ブロック11と、この前面ブロック11に連結され網状体たるジオテキスタイル31とを備えるから、前面ブロック11を積み上げると共に左右方向に並べ、個々の前面ブロック11の裏込め材充填部21を囲んで巻き付けるようにジオテキスタイル31を配置し、前面ブロック11と法面２との間にコンクリート部22及び砕石類23を充填し、擁壁１を構築することができ、前面ブロック11にジオテキスタイル31が連結されているため、該ジオテキスタイル31により前面ブロック11とコンクリート部22及び砕石類23との一体化が図られる。
【００３１】
このように本実施例では、請求項２に対応して、法面２に沿って上下方向に積み上げられると共に左右方向に並べて擁壁１を構築する単位擁壁構造体５において、擁壁１の前面を形成するプレキャストコンクリート製の前面ブロック11と、この前面ブロック11の背面側で法面２との間に設けられる裏込め材充填部21と、この裏込め材充填部21の裏込め材たるコンクリート部22及び砕石類23に巻く網状体たるジオテキスタイル31とを備えるから、前面ブロック11を積み上げると共に左右方向に並べ、個々の前面ブロック11の裏込め材充填部21を囲んで巻き付けるようにジオテキスタイル31を配置し、前面ブロック11と法面２との間に裏込め材を充填して単位擁壁構造体５を形成する。したがって、全体をブロックにしたり、背面に控えを設ける場合に比べて、前面ブロック11は軽量で運搬・据付が容易で、ジオテキスタイル21により前面ブロック11と裏込め材とが一体化され、裏込め材がジオテキスタイル31に巻かれて補強されているから、強度的に優れた単位擁壁構造体５を得ることができる。
【００３２】
また、このように本実施例では、請求項３に対応して、裏込め材充填部21を前後に仕切る網状体たる仕切り用ジオテキスタイル32を設けたから、単位擁壁構造体５において、前面ブロック11と法面２との間の前後で異なる裏込め材を充填して裏込めすることができる。
【００３３】
また、このように本実施例では、請求項４に対応して、裏込め材充填部21の前部たる前側充填部21Ａに現場打ちコンクリートからなるコンクリート部22を設け、後部たる後側充填部21Ｂに砕石類23を充填したから、前側は前面ブロック11と現場打ちコンクリートからなるブロック体となり、このブロック体と法面２との間が砕石類23により埋め戻された擁壁構造が得られる。
【００３４】
また、このように本実施例では、請求項５に対応して、請求項２記載の単位擁壁構造体５を法面に沿って上下方向に積み上げられると共に壁左右方向に並べてなるから、単位擁壁構造体５により前面が覆われた擁壁構造が得られる。
【００３５】
また、このように本実施例では、請求項６に対応して、擁壁１の前面を形成するプレキャストコンクリート製の前面ブロック11を、法面２に沿って上下方向に積み上げられると共に左右方向に並べて擁壁１を構築する際、前面ブロック11と法面２との間に裏込め材を充填し、この裏込め材にジオテキスタイル31を巻き付けるから、請求項２記載の単位擁壁構造体５により前面が覆われた擁壁構造を構築することができる。
【００３６】
また、実施例上の効果として、ジオテキスタイル31の前側をブロック11，11の合わせ面６に挟むだけでなく、前面ブロック11に仮固定したから、施工が容易となる。
【実施例２】
【００３７】
図６は本発明の第２実施例を示し、上記第１実施例と同一部分に同一符号を付し、その詳細な説明を省略して詳述すると、この例では、前面ブロック11に横巻きのジオテキスタイル31の一方の前側31Ｆを、前面ブロック11の左右の一方に側面13に連結し、他方の前側31Ｆの他方を自由端としている。そして、前記一方の前側31Ｆは前面ブロック11にインサート成形により連結固定されており、すなわち前記前面ブロック11の成形する型体（図示せず）に前記前側31Ｆを挿入状態で配置し、前記型体内にコンクリートを充填し、該コンクリートが硬化することにより前面ブロック11に前記前側31Ｆが一体に連結される。
【００３８】
そして、ジオテキスタイル31の一方の前側31Ｆが前面ブロック11に一体に設けられているから、該ジオテキスタイル31により裏込め材を巻くことにより、裏込め材と前面ブロック11との一体化を図ることができる。
【００３９】
このように本実施例では、請求項１に対応して、法面２に沿って上下方向に積み上げられると共に左右方向に並べて擁壁１を構築する擁壁用ブロックにおいて、擁壁１の前面を形成するプレキャストコンクリート製の前面ブロック11と、この前面ブロック11に連結され網状体たるジオテキスタイル31とを備えるから、各請求項に対応して上記実施例と同様な作用・効果を奏する。
【００４０】
また、実施例上の効果として、網状体たるジオテキスタイル31の端部である前側31Ｆの縁を工場で前面ブロック11に固定し、その固定にインサート成形を用いたから、前面ブロック11に簡便且つ安定してジオテキスタイル31を連結することができる。また、この例では、ジオテキスタイル31の一方の縁を前面ブロック11に固定したから、ジオテキスタイル31を筒状に巻いた状態で運搬保管することができる。
【実施例３】
【００４１】
図７は本発明の第３実施例を示し、上記各実施例と同一部分に同一符号を付し、その詳細な説明を省略して詳述すると、この例では、前面ブロック11に横巻きのジオテキスタイル31の両方の前側31Ｆ，31Ｆを、前面ブロック11の左右側面13，13にそれぞれ連結し、横巻きのジオテキスタイル31を予め枠状に対応して形成している。尚、前側31Ｆは前面ブロック11にインサート成形により連結固定されている。
【００４２】
このように本実施例では、請求項１に対応して、法面２に沿って上下方向に積み上げられると共に左右方向に並べて擁壁１を構築する擁壁用ブロックにおいて、擁壁１の前面を形成するプレキャストコンクリート製の前面ブロック11と、この前面ブロック11に連結され網状体たるジオテキスタイル31とを備えるから、各請求項に対応して上記実施例と同様な作用・効果を奏する。
【実施例４】
【００４３】
図８〜図９は本発明の第４実施例を示し、上記各実施例と同一部分に同一符号を付し、その詳細な説明を省略して詳述すると、この例では、横巻きのジオテキスタイル31に加えて、縦巻きのジオテキスタイル33を用い、この縦巻きのジオテキスタイル33は、上，下面12，12とほぼ同一面に位置する上，下面部33Ａ，33Ａと法面２側に沿う後面部33Ｂとを有し、その前端を上，下面12，12に沿って配置することができる。また、前記縦巻きのジオテキスタイル33は、前面ブロック11の幅寸法Ｈ２が大きなものが好ましいが、前記横巻きのジオテキスタイル31と同一幅のものを２枚幅方向に並べると共に相互の縁を合わせて使用してもよい。
【００４４】
そして、現場施工においては、縦巻きのジオテキスタイル33は、その下面部33Ａを、前面ブロックの下面12及び充填部21の下面に配置し、その後面部33Ｂを横巻きのジオテキスタイル31の後面部31Ｂの前後一方に重ね合わせ、図８の一点鎖線に示すように、充填部21の上部を開くようにその上面部33Ａを持ち上げた状態で、現場打ちコンクリートの前側充填部21Ａへの充填と、砕石類23の後側充填部21Ｂへの充填を行った後、前記縦巻きのジオテキスタイル33の上面部33Ａを充填部21の上面に沿わせるようにして巻き付ける。
【００４５】
このように本実施例では、上記第１実施例と同様な作用・効果を奏し、また、この例では、ジオテキスタイル31，33を充填部21の左右，後面及び上下に巻き付ける構造であるから、一層、ブロック11と裏込め材とが一体化された安定した構造が得られる。
【実施例５】
【００４６】
図１０は本発明の第５実施例を示し、上記各実施例と同一部分に同一符号を付し、その詳細な説明を省略して詳述すると、この例では、縦巻きのジオテキスタイル33の下面部33Ａの前側33Ｆを前記前面ブロック11の下面12にインサート成形により埋設状態で連結固定し、上面部33Ａの前側333Ｆは自由端としている。
【００４７】
したがって、予め固定したジオテキスタイル33を現場で展開して簡便に作業を行うことができる。
【実施例６】
【００４８】
図１１〜図１３は本発明の第６実施例を示し、上記各実施例と同一部分に同一符号を付し、その詳細な説明を省略して詳述すると、この例では、前面ブロック11の上，下面12，12及び左，右側面13，13に対応する筒状巻きのジオテキスタイル34を用い、この筒状巻きのジオテキスタイル34は、下面部34Ｂと左右の側面部34Ａ，34Ａとを備え、その上端部34Ｃ，34Ｃを充填部21の上面に沿うように折り曲げ、両側の上端部34Ｃ，34Ｃ間に隙間ができる。また、縦巻きのジオテキスタイル33は、上面部33Ａ´が短く形成され、別個に前側充填部21Ａの上面を覆う調整用のジオテキスタイル35を用いる。
【００４９】
したがって、前面ブロック11を据付けると共に、縦巻きのジオテキスタイル33をセットし、その上面部33Ａ´は上に持ち上げて充填部21の上部を開口し、筒状巻きのジオテキスタイル34の上端も開口しており、充填部21への現場打ちコンクリートの充填及び裏込め材23の充填が完了したら、上端部34Ｃ，34Ｃを充填部21の上面に沿って折曲げ、さらに、その上端部34Ｃ，34Ｃ間の隙間に、調整用のジオテキスタイル35と前記上面部33Ａ´を重ね、充填部21の上下面，左右側面及び後面にジオテキスタイル33，34，35を巻く。
【００５０】
このように本実施例では、上記各実施例と同様な作用・効果を奏し、また、この例では、ジオテキスタイル33，34を充填部21の左右，後面及び上下にほぼ巻き付ける構造であるから、ブロック11と裏込め材とが一体化された安定した構造が得られる。
【実施例７】
【００５１】
図１４は本発明の第７実施例を示し、上記各実施例と同一部分に同一符号を付し、その詳細な説明を省略して詳述すると、この例では、調整用のジオテキスタイル35の前側35Ｆと、縦巻きのジオテキスタイル33の前側33Ｆとが連続し、すなわち、調整用のジオテキスタイル35と縦巻きのジオテキスタイル33とが連続した１枚の網状体たるジオテキスタイルからなり、それら前側33Ｆ，35Ｆをインサート成形により埋設状態で連結固定している。
【００５２】
したがって、現場で、ジオテキスタイル33，35の配置調整が容易となり、また、調整用のジオテキスタイル35と縦巻きのジオテキスタイル33とが連続した１枚のジオテキスタイルからなるから、製造が容易で安定した連結強度を得ることができる。
【００５３】
なお、本発明は、前記実施例に限定されるものではなく、種々の変形実施が可能である。例えば、前面ブロックの大きさや形状などは適宜選定可能である。また、砕石類は締め固めることができる裏込め材であれば各種のものを用いることができる。また、網状体は実施例で示したジオテキスタイル，金網やネット以外でも、各種材質のものを用いることができる。
【産業上の利用可能性】
【００５４】
以上のように、本発明に係わる単位擁壁構造体と擁壁並びにその施工方法は、運搬・据付重量を軽減して組積み作業を容易し、背面構造との一体化が可能な擁壁用ブロック、単位擁壁構造体と擁壁並びにその施工方法を提供することができる。
【図面の簡単な説明】
【００５５】
【図１】本発明の第１実施例を示す単位擁壁体の断面図である。
【図２】同上、前面ブロックとジオテキスタイルの斜視図である。
【図３】同上、裏込め前の単位擁壁構造体の平面図である。
【図４】同上、擁壁の断面図である。
【図５】同上、擁壁の平面図である。
【図６】本発明の第２実施例を示す単位擁壁体の断面図である。
【図７】本発明の第３実施例を示す単位擁壁体の断面図である。
【図８】本発明の第４実施例を示す単位擁壁体の断面図である。
【図９】同上、前面ブロックと網状体の斜視図である。
【図１０】本発明の第５実施例を示す単位擁壁体の縦断面図である。
【図１１】本発明の第６実施例を示す単位擁壁体の縦断面図である。
【図１２】同上、図１１のＡ−Ａ線断面図である。
【図１３】同上、前面ブロックと網状体の斜視図である。
【図１４】本発明の第７実施例を示す単位擁壁体の縦断面図である。
【符号の説明】
【００５６】
１  擁壁
２  法面
５  単位擁壁構造体
11  前面ブロック
21  充填部
21Ａ  前側充填部
21Ｂ  後側充填部
22  コンクリート部（裏込め材）
23  砕石類（裏込め材）
31  横巻きのジオテキスタイル（網状体）
32  仕切り用ジオテキスタイル（網状体）
34  筒状巻きのジオテキスタイル（網状体）
【図１】
2005097949.tif 000003
【図２】
2005097949.tif 000004
【図３】
2005097949.tif 000005
【図４】
2005097949.tif 000006
【図５】
2005097949.tif 000007
【図６】
2005097949.tif 000008
【図７】
2005097949.tif 000009
【図８】
2005097949.tif 000010
【図９】
2005097949.tif 000011
【図１０】
2005097949.tif 000012
【図１１】
2005097949.tif 000013
【図１２】
2005097949.tif 000014
【図１３】
2005097949.tif 000015
【図１４】
2005097949.tif 000016